(57)【要約】【課題】石材を切断加工等する石工用の加工具において、石材の上面に当接させるベースが鋼板製であることから、これを石材の上面に沿って摺動させると擦り傷等の損傷を受けやすく、またベースの角部等をぶつけることにより石材が損傷を受けるおそれがある。本発明では、この種の加工具について石材の傷付きを防止できるようにする。【解決手段】石材に当接させる鋼板製のベース２の主として下面に樹脂製のベースカバー２０を被せた構成とする。ベースカバー２０は、その弾性を利用してベース２に対して簡単に脱着できるようにすることが望ましい。【選択図】図１
2014015013.tif 000002
【特許請求の範囲】
【請求項１】
加工材に下面を当接させるベースと、該ベースの上面に支持された工具本体を備えた石材加工用の加工具であって、前記ベースの下面であって前記加工材に当接される部位が樹脂を素材とする加工具。
【請求項２】
請求項１記載の加工具であって、前記ベースは、互いに異なる材質の上層と下層の二層構造を備えており、前記下層を樹脂製とした加工具。
【請求項３】
請求項２記載の加工具であって、前記下層は前記上層に対して弾性係合させて取り付け、取り外し可能な加工具。
【請求項４】
請求項１〜３の何れか１項に記載した加工具であって、前記ベースの加工材に対する当接面に粉塵逃がし用の溝部を設けた加工具。
【請求項５】
請求項４記載の加工具であって、前記溝部を加工進行方向に沿って長く形成した加工具。
【請求項６】
請求項４又は５記載の加工具であって、前記ベースの下面全面積に占める前記溝部の合計面積の割合が５割未満に設定された加工具。
【発明の詳細な説明】
【技術分野】
【０００１】
この発明は、例えば石材等の加工材を切断あるいは研削加工等する際に用いる手持ち式の加工具に関する。
【背景技術】
【０００２】
主として石材加工用の加工具は、加工材の上面に当接させる平板形状のベースと、このベースの上面側に、電動モータを駆動源として回転する円形のカッターや砥石等の刃具を有する工具本体を支持した構成を備えている。この加工具によれば、ベースの下面側に刃具を突き出した状態で当該ベースを加工材の上面に当接させて工具本体を加工材上に乗せ掛け、この乗せ掛けた状態で当該加工具を加工進行方向に移動させることにより刃具を加工材に接触等させて加工を行うことができる。
【先行技術文献】
【特許文献】
【０００３】
【特許文献１】特開２００９−２４８３４３号公報
【発明の概要】
【発明が解決しようとする課題】
【０００４】
このような石材加工等に用いる加工具において、加工材に当接させるベースが鋼板製であることから、これを加工材の仕上げ面に摺接させることにより細かな擦り傷を付けてしまったり、例えばその角部をぶつけて加工材を傷を付けるおそれがある。
また、この種の石材加工では、加工により発生する粉塵の飛散を防止するために加工部位に水を掛けながら加工することが行われる。
本発明は、加工具を用いて石材等の加工を行う場合における石材等の傷付き等の損傷を低減できるようにする。
【課題を解決するための手段】
【０００５】
上記の課題は、下記の発明によって解決される。
第１の発明は、加工材に下面を当接させるベースと、ベースの上面に支持された工具本体を備えた石材加工用の加工具であって、ベースの下面であって加工材に当接される部位が樹脂を素材とする加工具である。
第１の発明によれば、例えば鋼板製等のベース本体の下面側に樹脂製のベースカバーを取り付けてベースとすることにより、加工材の傷付きを防止することができる。
ベースの下面であって、加工材に当接される部位は、ベースの下面全面であっても一部であってもよい。例えば全面とする場合には、上記のように鋼板製のベース本体に樹脂製のベースカバーを被せる構成とすることができる。このベースカバーは、ベース本体に対して取り外し不能に結合する構成とするほか、その弾性を利用して簡単に取り外し可能な構成とすることができる。ベース下面の一部について樹脂製とする場合には、鋼板製のベース本体の下面に樹脂製の突条若しくは凸部を貼り付け若しくは結合しておく構成とすることができる。
ベース本体の下面に取り付けたベースカバーの下面に溝等の凹部を設けて、その一部について加工材に当接させる構成とすることができる。
上記のように例えば鋼板製のベース本体に樹脂製のベースカバーを取り付けた二層構造の他、ベースそのものが樹脂製である単層構造であってもよい。
第２の発明は、第１の発明において、ベースは、互いに異なる材質の上層と下層の二層構造を備えており、下層を樹脂製とした加工具である。
第２の発明によれば、上層側のベース本体の下面が下層側の樹脂製のベースカバーで覆われることにより、加工材に対してベース本体が直接接触することが避けられてその傷付き等の損傷が未然に回避される。
第３の発明は、第２の発明において、下層は上層に対して弾性係合させて取り付け、取り外し可能な加工具である。
第３の発明によれば、樹脂を素材として成形されたベースカバー（下層）の弾性力により当該ベースカバーのベース本体（上層）に対する取り付け状態が維持され、逆に弾性力に抗して係合状態を解除することにより当該ベースカバーをベース本体から簡単に取り外すことができる。
第４の発明は、第１〜第３の何れか一つの発明において、ベースの加工材に対する当接面に粉塵逃がし用の溝部を設けた加工具である。
第４の発明によれば、加工により発生した粉塵等が溝部に収容されて、当該溝部以外の部位であって加工材に実際に当接される部位との間に粉塵等が挟み込まれることを低減することができ、これにより加工材の傷付き等の損傷を低減することができる。
また、粉塵逃がし用の溝部によって、加工材に対するベースの接触面積が小さくなって摺動抵抗が低減されるので、当該加工具を楽に加工進行方向へ移動させることができ、これにより加工作業を効率よく迅速に行うことができるようになる。
第５の発明は、第４の発明において、溝部を加工進行方向に沿って長く形成した加工具である。
第５の発明によれば、加工材に対するベースの加工進行方向への摺動抵抗を小さくすることができ、これにより当該加工具を楽に移動させて作業の効率化及び迅速化を図ることができる。
第６の発明は、第４又は第５の発明において、ベースの下面全面積に占める前記溝部の合計面積の割合が５割未満に設定された加工具である。
第６の発明によれば、ベースの下面全面積のうち、実際に加工材に当接される部位の面積が、溝部の合計面積よりも大きく設定されて、その加工材に対する摺動抵抗を低減しつつ十分な接地面積を確保することができ、これにより当該実際に加工材に当接される部位と加工材との間に切断粉が挟み込まれることにより欠損が生じたり、摩耗により接地面積が減少することに対する当該部位の耐久性を高めることができる。
【図面の簡単な説明】
【０００６】
【図１】本発明の実施形態に係る加工具の全体斜視図である。
【図２】本実施形態に係る加工具を加工進行方向前側から見た図である。本図では、ベース本体に対してベースカバーの片側が外れた状態で示されている。
【図３】ベース本体にベースカバーが取り付けられた状態のベースの縦断面図である。
【図４】ベースカバー単体の斜視図である。
【図５】ベースカバー単体の平面図である。
【図６】図５の(VI)-(VI)線断面矢視図であって、ベースカバー単体の縦断面図である。
【図７】ベースカバー単体の背面図である。
【発明を実施するための形態】
【０００７】
次に、本発明の実施形態を図１〜図７に基づいて説明する。図１及び図２に示すように本実施形態に係る加工具１は石工用カッターと称される切断機で、主として石材（加工材Ｗ）の切断加工に用いられる。この加工具１は、加工材Ｗの上面に当接させる矩形平板形状のベース２と、ベース２の上面側に支持された工具本体１０を備えている。
本実施形態のベース２は、鋼板製のベース本体３（上層）と、ベース本体３の下面側であって加工材Ｗに当接させる面を覆う樹脂製のベースカバー２０（下層）との二層構造を備えている。工具本体１０は、上層のベース本体３の上面側に支持されており、加工材Ｗの上面には下層のベースカバー２０が当接される。本実施形態に係る加工具１は、この二層構造のベース２に特徴を有しており、その詳細については後述する。
工具本体１０は、電動モータ１１を駆動源として回転する円形の刃具１２を備えている。刃具１２として、本実施形態では石材切断用のダイヤモンドホイールが取り付けられている。刃具１２の上側ほぼ半周の範囲は、円弧形の刃具カバー１３で覆われている。刃具カバー１３の背面側（使用者から見て右側）に、減速機構部１４を介して電動モータ１１が取り付けられている。電動モータ１１の上部にはループ形のハンドル部１５が設けられている。このハンドル部１５の内側に配置したトリガ形式のスイッチレバー１６を指先で引き操作すると電動モータ１１が起動して刃具１２が回転する。このハンドル部１５の後方（図１において右側）に使用者が位置する。以下の説明において部材等の前後左右方向については使用者を基準として用いる。また、使用者が図１中矢印で示した方向（加工進行方向）に当該加工具１を移動させることにより加工が進行する。
ベース２の左側部（図１において手前側の側部）には、刃具１２を下面側へ突き出させるための加工具スペースＳが設けられている。この加工具スペースＳによって、工具本体１０側の部材とベース２との干渉が回避され、また、使用者が加工部位を楽に視認できるようになっている。
前記したように本実施形態のベース２は、上層としてのベース本体３と下層としてのベースカバー２０との二層構造を有している。ベース本体３の下面側に装着されるベースカバー２０が図３以下に示されている。このベースカバー２０は、ベース本体３の下面側に対して容易に取り付け、取り外しすることができる。図４〜図７には、ベース本体３から取り外したベースカバー２０が単独で示されている。
このベースカバー２０は、樹脂を素材とする成形品で、本実施形態では高い摺動性と弾性及び強度を有するＰＰ（ポリプロピレン）を素材として一体に成形されている。このベースカバー２０は、主として加工材の傷付き防止を目的としてベース本体３の下面に沿って取り付けられる。本実施形態では、ベース本体３の下面前面を覆うベースカバー２０が例示されている。従って、ベースカバー２０は概ね矩形平板形状を有し、その左側部にはベース２の加工具スペースＳに対応する矩形の凹部２０ａが設けられている。
【０００８】
このベースカバー２０は、ベース本体３の下面に沿う底部２１と、底部２１の周囲に沿って設けられて、ベース本体３の前後左右の側面に沿う側壁部２２〜２２を備える、底浅の受け皿形状を有している。このベースカバー２０の右側の側壁部２２には、２つの大係合部２３，２３が設けられ、左側の側壁部２２には２つの小係合部２４，２４が設けられている。この左右の大小係合部２３，２４をベース本体３の左右側部にそれぞれ係合させて当該ベースカバー２０がベース本体３の下面に沿って取り付けられる。右側の大係合部２３，２３は、それぞれ右側壁部２２から左側方へ張り出す状態に設けられている。左側の小係合部２４，２４は、それぞれ左側壁部２２から右側方へ張り出す状態に設けられている。
大係合部２３，２３は、小係合部２４，２４よりも大きな爪部で、それぞれの下方には、成形用のヌキ孔２３ａ，２４ａが位置している。図３及び図６に示すように大係合部２３，２３は、それぞれヌキ孔２３ａに向けて下方に張り出す断面半円形に形成されている。小係合部２４，２４は、それぞれその上面に下方に向けて下るガイド面２４ｂを有して水平に張り出す状態に設けられている。
図７に示すように底部２１の下面には、前後方向に長い底浅の溝部２１ａ〜２１ａが左右幅方向に複数設けられている。この溝部２１ａ〜２１ａによって、当該ベースカバー２０は、加工材Ｗの上面に対して全面当たりせず、当接面積がより小さくなるようになっている。また、この溝部２１ａ〜２１ａ内に、加工により発生した粉塵が集塵されて底部２１の下面であって溝部２１ａを除く部位と加工材Ｗとの間に粉塵が挟み込まれて傷付きの原因になることが防止されている。
溝部２１ａ〜２１ａの合計面積は、その他の部位の面積であって実際に加工材Ｗに当接される部位の合計面積（当接面積）よりも小さくなるように設定されている。本実施形態では、当該ベースカバー２０の下面全面積に占める溝部２１ａ〜２１ａの合計面積の割合が５割未満に設定されている。これにより、溝部２１ａ〜２１ａの合計面積が必要以上に大きくならないように設定されて、加工材Ｗに実際に当接される部位の当接面積が十分に確保されているため、加工により発生する粉塵等の摩擦によって当該当接面積が徐々に欠損していくことに対する耐久性が持たせられている。
【０００９】
このように構成したベースカバー２０は、図３に示すようにその底部２１をベース本体３の下面に当接させた状態に取り付けられる。このベースカバー２０をベース本体３から取り外すには、左側の小係合部２４，２４を指先で左側方へ変位させてその係合状態を解除しつつ図２中矢印Ａで示すように当該ベースカバー２０の左側部を下方へ外す。こうして左側をベース本体３から外した後、図２中矢印Ｂで示すように当該ベースカバー２０を右側へずらせば、ベース本体３の右側部に対する大係合部２３，２３の係合状態が外れて当該ベースカバー２０をベース本体３の下面から取り外すことができる。
ベースカバー２０をベース本体３に取り付けるには、上記取り外す場合とは逆に、先ずベース本体３の右側部を大係合部２３，２３の下側に進入させ、次に左側の小係合部２４，２４をベース本体３の上面側に被せるようにして係合させればよい。左側の小係合部２４，２４をベース本体３の上面側に係合させるには、当該小係合部２４，２４のガイド面２４ｂ，２４ｂにベース本体３の左側部を摺接させつつ当該ベースカバー２０の左側部を上側へ押し上げることにより簡単に係合させることができ、これにより当該ベースカバー２０を特別の工具を用いることなくワンタッチで取り付けることができる。ベース本体３にベースカバー２０を取り付けることにより、ベース本体３の下面全面は底部２１で覆われ、ベース本体３の側面全周は側壁部２２〜２２によって覆われた状態となる。
【００１０】
以上のように構成した本実施形態の加工具１によれば、ベース本体３の下面全面が樹脂製のベースカバー２０で覆われているため、鋼板製（金属製）であるベース本体３は直接加工材Ｗに接触せず、これにより加工作業中加工材Ｗに対するベース２の摺接による細かな擦り傷等の損傷を未然に防止することができ、加工材Ｗの仕上げ面等の保護を図ることができる。また、ベース本体３の周囲がベースカバー２０の側壁部２２〜２２で覆われているので、当該ベース２を加工材Ｗにぶつけた場合の当該加工材Ｗの傷付き等の損傷を未然に防止することができる。
さらに、ベースカバー２０の底部２１の下面には、加工進行方向に沿って長い底孔の溝部２１ａ〜２１ａが設けられている。この溝部２１ａ〜２１ａによって、当該ベースカバー２０の加工材Ｗに対する当接面積が全面当たりよりも大幅に小さくなっていることから、当該ベースカバー２０の加工材Ｗに対する移動抵抗（摺接抵抗）を小さくすることができ、これにより当該加工具１を加工進行方向に移動させて行う加工を小さな操作力で迅速に行うことができ、ひいては当該加工具１の使い勝手を高めることができる。
特に、粉塵の飛散を防止するために給水しながら加工を行う場合には、この溝部２１ａ〜２１ａによって当該ベースカバー２０の加工材Ｗに対する吸着を発生しにくくすることができ、この点でも当該加工具１の使い勝手を高めて迅速な加工作業を実現することができる。
さらに、例示したベースカバー２０によれば、加工作業により発生する粉塵を溝部２１ａ〜２１ａ内に集塵しておくことができ、これにより当該溝部２１ａを除く底部２１の下面と加工材Ｗとの間に挟み込まれる粉塵を少なくして、この挟み込み状態で当該加工具１を移動させることにより発生する加工材Ｗの細かな擦り傷を少なくし、若しくはなくすことができる。
【００１１】
以上説明した実施形態には種々変更を加えることができる。例えば、ベース本体３から取り外し可能なベースカバー２０を例示したが、ベース本体に一体化されて取り外し不能なベースカバーとしてもよい。
また、ドライバ等の工具を用いることなくワンタッチで取り付け、取り外し可能なベースカバー２０を例示したが、ドライバを用いたねじ止めによりベースに取り付ける構成としてもよい。
さらに、鋼板製のベース本体の下面に、樹脂製の突条部を複数本貼り付けて、この突条部を加工材に直接接触させる構成としてもよい。この場合、各突条部を加工進行方向に長く形成して左右幅方向に複数配置する構成とすることにより、加工材Ｗに対する摺動抵抗を低減しつつ前記溝部２１ａと同等の集塵機能を持たせることができる。
また、ベースカバー２０の下面に加工材Ｗに対する摺動抵抗を低減するための溝部２１ａ等を省略して、その全面を加工材Ｗに当接させる構成としてもよい。
さらに、鋼板製のベース本体３に樹脂製のベースカバー２０を取り付けた二層構造のベース２を例示したが、二層構造ではなく全体を硬質の樹脂製とした単層構造のベースとしてもよい。
【符号の説明】
【００１２】
Ｗ…加工材（石材）
１…加工具（石工用カッター）
２…ベース
３…ベース本体
１０…工具本体
１１…電動モータ
１２…刃具（ダイヤモンドホイール）
１３…刃具カバー
１４…減速機構部
１５…ハンドル部
１６…スイッチレバー
２０…ベースカバー
２１…底部、２１ａ…溝部
２２…側壁部
２３…大係合部、２３ａ…ヌキ孔
２４…小係合部、２４ａ…ヌキ孔、２４ｂ…ガイド面
【図１】
2014015013.tif 000003
【図２】
2014015013.tif 000004
【図３】
2014015013.tif 000005
【図４】
2014015013.tif 000006
【図５】
2014015013.tif 000007
【図６】
2014015013.tif 000008
【図７】
2014015013.tif 000009